【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のワイヤレス通信デバイスによって、ウェイクアップページングインジケータ(WUPI)を第2のワイヤレス通信デバイスに送信することと、前記WUPIが、送られる準備ができるかどうかに基づいて、信号を第3のワイヤレス通信デバイスに前記WUPIを送信することとの間を決定するステップと、
第1の送信時間間隔(TTI)の間に、前記WUPIを送信するとの決定に応答して、前記第1のワイヤレス通信デバイスから前記WUPIを送信するステップであって、前記WUPIが前記第2のワイヤレス通信デバイスに、ウェイクアップし、第2のTTIの間に前記第1のワイヤレス通信デバイスからのデータ信号をリッスンするように指示する、ステップと、
前記第2のTTIの間に前記第1のワイヤレス通信デバイスから前記第2のワイヤレス通信デバイスに前記データ信号を送信するステップと、
前記WUPIと前記データ信号の両方を直交周波数分割多重(OFDM)波形内に含めるステップと
を含む方法。
【請求項２】
前記WUPIが、前記第2のワイヤレス通信デバイスの第1のレシーバに送信され、前記データ信号が、前記第2のワイヤレス通信デバイスの第2のレシーバに送信され、
前記第1のレシーバが、前記第2のレシーバよりも低電力のレシーバである、
請求項1に記載の方法。
【請求項３】
オンオフキーイング(OOK)を用いて前記WUPIを含む前記OFDM波形のOFDMサブキャリアを変調するステップと、
直交振幅変調(QAM)を用いて前記データ信号を含むOFDMサブキャリアを変調するステップと
をさらに含む、請求項1に記載の方法。
【請求項４】
前記第1のワイヤレス通信デバイスにおいて、前記WUPIを送信するために前記第2のワイヤレス通信デバイスにチャネルリソースのセットを割り振るステップをさらに含み、
前記決定するステップは、前記チャネルリソースのセットを使用して前記WUPIを送信することと、前記チャネルリソースのセットを使用して前記信号を送信することとの間を決定するステップをさらに含む、
請求項1に記載の方法。
【請求項５】
前記第1のワイヤレス通信デバイスから制御信号を送信するステップをさらに含む、
請求項1に記載の方法。
【請求項６】
前記制御信号が、指示された量のTTIの間レシーバをオフにするために前記第3のワイヤレス通信デバイスが使用する情報を含む、
請求項5に記載の方法。
【請求項７】
変調の第1の形態に従って第1の周波数帯域幅上で前記制御信号を送信するステップと、
前記第1のTTIの間に前記変調の第1の形態と異なる変調の第2の形態に従って第2の周波数帯域幅上で前記WUPIを送信するステップであって、前記第1および第2の周波数帯域幅は重ならない、ステップと
をさらに含む、請求項5に記載の方法。
【請求項８】
前記第1のワイヤレス通信デバイスにおいて、少なくとも1つのWUPIを送信するためのデータサイクル内の時間ウィンドウを指定するステップをさらに含み、
前記時間ウィンドウが、前記データサイクル中に送信されるWUPIの予想される量と少なくとも同等のTTIの量を含む、
請求項1に記載の方法。
【請求項９】
前記第1のワイヤレス通信デバイスにおいて、前記第2のワイヤレス通信デバイスに固有のコードを割り当てるステップと、
前記第1のワイヤレス通信デバイスにおいて、前記第2のワイヤレス通信デバイスに割り当てられた前記固有のコードを用いて前記少なくとも1つのWUPIを符号化するステップと
をさらに含む、
請求項8に記載の方法。
【請求項１０】
前記第1のワイヤレス通信デバイスにおいて、複数の第2のワイヤレス通信デバイスのすべてに共通の第2のコードを割り当てるステップと、
前記第1のワイヤレス通信デバイスにおいて、前記第2のコードを用いて前記WUPIを符号化するステップと、
前記第1のワイヤレス通信デバイスから、前記複数の第2のワイヤレス通信デバイスに前記WUPIを送信するステップと
をさらに含む、請求項8に記載の方法。
【請求項１１】
前記第1のワイヤレス通信デバイスが、基地局を備え、
前記第2のワイヤレス通信デバイスが、低電力インターネットオブエブリシングデバイスを備え、
前記第3のワイヤレス通信デバイスが、ユーザ機器を備える、
請求項1に記載の方法。
【請求項１２】
ワイヤレス通信の方法であって、
第1のワイヤレス通信デバイスにおいて、前記第1のワイヤレス通信デバイスにウェイクアップページングインジケータ(WUPI)を送信することと、前記WUPIが、送られる準備ができるかどうかに基づいて、信号を第3のワイヤレス通信デバイスに送信することとの間の決定に応答して、第1の送信時間間隔(TTI)の間に第2のワイヤレス通信デバイスから前記WUPIを受信するステップと、
前記第1のワイヤレス通信デバイスにおいて、前記WUPIの受信に応答してウェイクアップするステップと、
前記第1のワイヤレス通信デバイスにおいて、前記第1のTTIの後の第2のTTIの間に前記第2のワイヤレス通信デバイスからのデータ信号をリッスンするステップと、
前記第1のワイヤレス通信デバイスにおいて、前記第2のTTIの間に前記第2のワイヤレス通信デバイスから前記データ信号を受信するステップと
を含み、
前記WUPIおよび前記データ信号が、両方とも直交周波数分割多重(OFDM)波形内に含まれる、
方法。
【請求項１３】
前記第1のワイヤレス通信デバイスの第1のレシーバにおいて前記WUPIを受信するステップと、
前記第1のワイヤレス通信デバイスの第2のレシーバにおいて前記データ信号を受信するステップとをさらに含み、
前記第1のレシーバが、前記第2のレシーバよりも低電力のレシーバである、
請求項12に記載の方法。
【請求項１４】
前記WUPIを含むOFDMサブキャリアが、オンオフキーイング(OOK)を用いて変調され、前記データ信号を含むOFDMサブキャリアが、直交振幅変調(QAM)を用いて変調される、
請求項12に記載の方法。
【請求項１５】
前記第1のワイヤレス通信デバイスにおいて、前記第2のワイヤレス通信デバイスからチャネルリソースのセットの割り振りを受信するステップであって、
前記決定が、前記チャネルリソースのセットを使用して前記WUPIを送信することと、前記チャネルリソースのセットを使用して前記信号を送信することとの間であり、前記信号は、データ信号を含む、ステップと、
前記第1のワイヤレス通信デバイスにおいて、前記WUPIの間、前記チャネルリソースのセットを監視するステップと
をさらに含む、請求項12に記載の方法。
【請求項１６】
前記第1のワイヤレス通信デバイスから前記第2のワイヤレス通信デバイスに前記WUPIに対する要求を送信するステップをさらに含む、
請求項15に記載の方法。
【請求項１７】
前記第1のワイヤレス通信デバイスにおいて、前記第2のワイヤレス通信デバイスから、前記WUPIが送信されるデータサイクル期間内の時間ウィンドウの指示を受信するステップをさらに含む、
請求項12に記載の方法。
【請求項１８】
前記第1のワイヤレス通信デバイスにおいて、前記第2のワイヤレス通信デバイスから固有のコードを受信するステップをさらに含み、
前記WUPIが、前記固有のコードを用いて符号化される、
請求項12に記載の方法。
【請求項１９】
前記第1のワイヤレス通信デバイスにおいて、前記第2のワイヤレス通信デバイスから共通のコードを受信するステップをさらに含み、
前記WUPIが、前記共通のコードを用いて符号化される、
請求項12に記載の方法。
【請求項２０】
前記第1のワイヤレス通信デバイスが、低電力インターネットオブエブリシングデバイスを備え、
前記第2のワイヤレス通信デバイスが、基地局を備え、
前記第3のワイヤレス通信デバイスが、ユーザ機器を備える、
請求項12に記載の方法。
【請求項２１】
第1のワイヤレス通信デバイスであって、
ウェイクアップページングインジケータ(WUPI)を第2のワイヤレス通信デバイスに送信するために、前記第2のワイヤレス通信デバイスにチャネルリソースのセットを割り振ることと、
前記チャネルリソースのセットを使用して前記WUPIを前記第2のワイヤレス通信デバイスに送信することと、前記WUPIが、送られるとスケジュールされるかどうかに基づいて、前記チャネルリソースのセットを使用して信号を第3のワイヤレス通信デバイスに送信することとの間を決定することと、
前記WUPIを送信するとの決定に応答して、前記WUPIおよびデータ信号を生成することと、
前記WUPIおよび前記データ信号の両方を、直交周波数分割多重(OFDM)波形内に含めることと
を行うように構成された、プロセッサと、
第1の送信時間間隔(TTI)の間に前記WUPIを前記第2のワイヤレス通信デバイスに送信し、第2のTTIの間に前記データ信号を前記第2のワイヤレス通信デバイスに送信するように構成されたトランシーバと
を備え、
前記WUPIが、前記第2のワイヤレス通信デバイスに、ウェイクアップし、前記データ信号をリッスンするように指示する、
第1のワイヤレス通信デバイス。
【請求項２２】
前記トランシーバが、前記WUPIを前記第2のワイヤレス通信デバイスの第1のレシーバに送信し、
前記トランシーバが、前記データ信号を前記第2のワイヤレス通信デバイスの第2のレシーバに送信し、
前記第1のレシーバが、前記第2のレシーバよりも低電力のレシーバである、
請求項21に記載の第1のワイヤレス通信デバイス。
【請求項２３】
前記プロセッサがさらに、前記第2のTTIの前に前記WUPIを送信するために要求された前記第1のTTIを含むTTIの数を決定するように構成され、
前記トランシーバがさらに、前記第3のワイヤレス通信デバイスが前記決定された数のTTIの間レシーバをオフにするために使用する前記第3のワイヤレス通信デバイスに、前記決定されたTTIの数を送信するように構成される
請求項21に記載の第1のワイヤレス通信デバイス。
【請求項２４】
前記プロセッサがさらに、少なくとも1つのWUPIを送信するためのデータサイクル内の時間ウィンドウを指定するように構成され、
前記時間ウィンドウが、前記データサイクル中に送信されるWUPIの平均量と少なくとも同等の量のTTIを含む、
請求項21に記載の第1のワイヤレス通信デバイス。
【請求項２５】
前記プロセッサがさらに、
前記第2のワイヤレス通信デバイスに固有のコードを割り当てることと、
前記第2のワイヤレス通信デバイスに割り当てられた前記固有のコードを用いて前記WUPIを符号化することと
を行うように構成された、
請求項21に記載の第1のワイヤレス通信デバイス。
【請求項２６】
第1のワイヤレス通信デバイスであって、
ウェイクアップページングインジケータ(WUPI)を前記第1のワイヤレス通信デバイスに送信することと、前記WUPIが、送られる準備ができるかどうかに基づいて、信号を第3のワイヤレス通信デバイスに送信することとの間の決定に応答して、第1の送信時間間隔(TTI)の間に第2のワイヤレス通信デバイスから前記WUPIを受信するように構成された第1のレシーバと、
前記WUPIを検出し、前記WUPIの受信に応答して第2のレシーバをウェイクアップさせるように構成されたプロセッサと
を備え、
前記第2のレシーバが、前記第1のTTIの後の第2のTTIの間、ウェイクアップした後に、前記第2のワイヤレス通信デバイスからデータ信号を受信するように構成され、
前記WUPIおよび前記データ信号が、両方とも直交周波数分割多重(OFDM)波形内に含まれる、
第1のワイヤレス通信デバイス。
【請求項２７】
前記第1のレシーバが、前記第2のレシーバよりも低電力のレシーバである、
請求項26に記載の第1のワイヤレス通信デバイス。
【請求項２８】
前記第1のレシーバがさらに、
前記第2のワイヤレス通信デバイスから、チャネルリソースのセットの割り振りと、前記信号とを受信することであって、前記決定は、前記チャネルリソースのセットを使用して前記WUPIを送信することと、前記チャネルリソースのセットを使用して前記信号を送信することとの間であり、前記信号は、データ信号を含む、ことと、
前記WUPIについて前記チャネルリソースのセットを監視することと
を行うように構成された、
請求項26に記載の第1のワイヤレス通信デバイス。
【請求項２９】
前記第1のレシーバがさらに、前記第2のワイヤレス通信デバイスから固有のコードを受信するように構成され、前記WUPIが、前記固有のコードを用いて符号化され、
前記プロセッサがさらに、受信した前記固有のコードを使用して前記WUPIを復号するように構成された、
請求項26に記載の第1のワイヤレス通信デバイス。
【請求項３０】
前記第1のレシーバがさらに、前記第2のワイヤレス通信デバイスから共通のコードを受信するように構成され、前記WUPIが、前記共通のコードを用いて符号化され、
前記プロセッサがさらに、受信した前記共通のコードを使用して前記WUPIを復号するように構成された、
請求項26に記載の第1のワイヤレス通信デバイス。